(57)【要約】      （修正有）【課題】  加圧空気と水や湯の流水とを混合して第１のミスト流を噴出させると共に、このミスト流の拡散を防止するために第２のミスト流を噴出してミスト流全体を収束して被洗浄物に照射することで、局部的にミストが被洗浄物に当たることから洗浄を少ない水で綺麗に洗浄することができるシャワーヘッドを提供する。【解決手段】  加圧空気源よりの空気と流体源よりの流体とが混合された流路１２よりの加圧水流を、第２散水板から第１散水板４を介して外部に噴出して第１のミスト流となし、また、前記第１散水板より吐出されない加圧水流を第１散水板とヘッドとの間に形成された貯留空間Ｇに貯留し、該貯留空間より前記第１散水板から前記第１のミスト流が拡散されないように第２のミスト流を吐出させたシャワーヘッドである。【選択図】    図１
2007326082.tif 000002
【特許請求の範囲】
【請求項１】
加圧空気源よりの空気と流体源よりの流体とが混合された流路よりの加圧水流を、第２散水板から第１散水板を介して外部に噴出して第１のミスト流となし、また、前記第１散水板より吐出されない加圧水流を第１散水板とヘッドとの間に形成された貯留空間に貯留し、該貯留空間より前記第１散水板から前記第１のミスト流が拡散されないように第２のミスト流を吐出させたことを特徴とするシャワーヘッド。
【請求項２】
前記第２のミスト流は、前記貯留空間に開口された前記流路先端部分に設けられた吐出孔よりのミスト流と混合されることを特徴とする請求項１記載のシャワーヘッド。
【請求項３】
加圧空気源および水や湯の流体源が接続され加圧水流が流れる流路が形成された基材と、
該基材と一体的に形成され先端に吐出孔が形成された突出部が臨むヘッドと、
前記流路の軸線方向と平行な方向に加圧水流を噴出する吐水孔が形成された水平部と、前記軸線と交わる方向に加圧水流を噴出する吐水孔が形成された傾斜面および軸線と平行な方向に加圧水流を噴出する吐水孔が形成された切頭円錐部とからなる第１散水板と、
該第１散水板の前記水平部を前記ヘッドの開口部に固定することで前記第１散水板の裏面側と前記ヘッドとの間に貯留空間を形成するキャップと、
前記基材の前記流出口よりの加圧水流を噴出する吐出孔が形成された底部と、該底部から前記第１散水板の前記切頭円錐部と同じ傾斜面に前記貯留空間と連通する連通孔が形成され、かつ、外周縁が第１散水板の前記水平部に形成された吐出孔より内側の裏面において当接する大きさに形成された切頭円錐部とからなる第２散水板と、
から構成し、前記第２散水板の前記吐出孔よりの加圧水流を前記第１散水板の底部および切頭円錐部に形成されている吐出孔より噴出させる第１のミスト流と、第１と第２散水板との間に滞留する加圧水流を第２散水板の連通孔を介して貯留空間に流し、該貯留空間内の加圧水流を第１散水板の水平部に形成されている吐出孔より第２のミスト流を噴出させることで前記第１のミスト流の拡散を防止するようにしたことを特徴とするシャワーヘッド。
【請求項４】
前記ヘッド内に臨む前記突出部には、前記貯留空間内にミストを噴出する吐出孔が形成され、この吐出孔よりのミスト流は前記第２のミスト流と混合されて前記第１散水板の水平部に形成されている吐出孔より噴出されることを特徴とする請求項３記載のシャワーヘッド。
【請求項５】
前記加圧空気源よりの空気流路を流体源よりの流路内に同軸状に形成して、流体源よりの流体が温水である場合に加圧空気を温めて噴射するミストの温度が低下するのを防止したことを特徴とする請求項１または２記載のシャワーヘッド。
【請求項６】
前記加圧空気源よりの空気に対して流体源よりの水流を、空気流の流出方向に沿って斜め方向から流入することで、流体の流れがスムーズに行えるようにしたことを特徴とする請求項１または２記載のシャワーヘッド。
【発明の詳細な説明】
【技術分野】
【０００１】
本発明は、水あるいは湯に加圧空気を混合してスト状とすることで、少ない量の水や湯で洗浄力を高めることができるので、特に、理美容院等において被施術者の頭髪を洗浄する等に適したシャワーヘッドに関する。
【背景技術】
【０００２】
従来におけるこの種のシャワーヘッドとしては、特開２００１−１４９２５２号公報に開示された発明がある。この発明は、多数の小孔が形成されたヘッド内に加圧空気が供給される気泡体と、水や湯を同時に供給してヘッドの前記小孔から加圧の水や湯を吐出することで、少ない水量で高い洗浄力が得られるようにしたものである。
【特許文献１】特開２００１−１４９２５２号公報
【発明の開示】
【発明が解決しようとする課題】
【０００３】
ところで、前記した従来の発明にあっては、ヘッド内の同一空間内に加圧空気と水や湯を供給して混合し、水や湯を加圧状態として小孔から排出するために、小孔から出る水や湯は小孔から外方に向かって拡散され、小孔から離れるに従って水圧が弱くなって洗浄力が低下するといった問題があった。
【０００４】
本発明は前記した問題点を解決せんとするもので、その目的とするところは、加圧空気と水や湯の流水とを混合して第１のミスト流を噴出させると共に、このミスト流の拡散を防止するために第２のミスト流を噴出してミスト流全体を収束して被洗浄物に照射することで、局部的にミストが被洗浄物に当たることから洗浄を少ない水で綺麗に洗浄することができるシャワーヘッドを提供せんとするにある。
【課題を解決するための手段】
【０００５】
本発明のシャワーヘッドは前記した目的を達成せんとするもので、請求項の手段は、加圧空気源よりの空気と流体源よりの流体とが混合された流路よりの加圧水流を、第２散水板から第１散水板を介して外部に噴出して第１のミスト流となし、また、前記第１散水板より吐出されない加圧水流を第１散水板とヘッドとの間に形成された貯留空間に貯留し、該貯留空間より前記第１散水板から前記第１のミスト流が拡散されないように第２のミスト流を吐出させたことを特徴とする。
【０００６】
請求項２の手段は、前記した請求項１において、前記第２のミスト流は、前記貯留空間に開口された前記流路先端部分に設けられた吐出孔よりのミスト流と混合されることを特徴とする。
【０００７】
請求項３の手段は、加圧空気源および水や湯の流体源が接続され加圧水流が流れる流路が形成された基材と、該基材と一体的に形成され先端に吐出孔が形成された突出部が臨むヘッドと、前記流路の軸線方向と平行な方向に加圧水流を噴出する吐水孔が形成された水平部と、前記軸線と交わる方向に加圧水流を噴出する吐水孔が形成された傾斜面および軸線と平行な方向に加圧水流を噴出する吐水孔が形成された切頭円錐部とからなる第１散水板と、該第１散水板の前記水平部を前記ヘッドの開口部に固定することで前記第１散水板の裏面側と前記ヘッドとの間に貯留空間を形成するキャップと、前記基材の前記流出口よりの加圧水流を噴出する吐出孔が形成された底部と、該底部から前記第１散水板の前記切頭円錐部と同じ傾斜面に前記貯留空間と連通する連通孔が形成され、かつ、外周縁が第１散水板の前記水平部に形成された吐出孔より内側の裏面において当接する大きさに形成された切頭円錐部とからなる第２散水板とから構成し、前記第２散水板の前記吐出孔よりの加圧水流を前記第１散水板の底部および切頭円錐部に形成されている吐出孔より噴出させる第１のミスト流と、第１と第２散水板との間に滞留する加圧水流を第２散水板の連通孔を介して貯留空間に流し、該貯留空間内の加圧水流を第１散水板の水平部に形成されている吐出孔より第２のミスト流を噴出させることで前記第１のミスト流の拡散を防止するようにしたことを特徴とする。
【０００８】
請求項４の手段は、前記した請求項３において、前記ヘッド内に臨む前記突出部には、前記貯留空間内にミストを噴出する吐出孔が形成され、この吐出孔よりのミスト流は前記第２のミスト流と混合されて前記第１散水板の水平部に形成されている吐出孔より噴出されることを特徴とする。
【０００９】
請求項５の手段は、前記した請求項１または３において、前記加圧空気源よりの空気流路を流体源よりの流路内に同軸状に形成して、流体源よりの流体が温水である場合に加圧空気を温めて噴射するミストの温度が低下するのを防止したことを特徴とする。
【００１０】
請求項６の手段は、前記した請求項１または３において、前記加圧空気源よりの空気に対して流体源よりの水流を、空気流の流出方向に沿って斜め方向から流入することで、流体の流れがスムーズに行えるようにしたことを特徴とする。
【発明の効果】
【００１１】
本発明は前記したように、加圧空気源よりの空気と流体源よりの流体とが混合された流路よりの加圧水流を、第２散水板から第１散水板を介して外部に噴出して第１のミスト流となし、また、前記第１散水板より吐出されない加圧水流を第１散水板とヘッドとの間に形成された貯留空間に貯留し、該貯留空間より前記第１散水板から前記第１のミスト流が拡散されないように第２のミスト流を吐出させたことにより、ミストが洗浄物に対して部分的に照射されるので、洗浄が効果的に行われ、例えば、洗浄物が理美容院等における頭髪の洗浄の場合には、頭皮の油脂部分までを除去することができる。
【００１２】
さらに、前記流路から前記貯留空間内に直接ミストが供給されるようにすることで、貯留空間内のミスト流が多くなり、従って、第２のミスト流として大量のミスト流となるので、第１のミスト流の拡散を確実に防止することができ、より、洗浄効果の向上を図ることができる。
【００１３】
また、加圧空気源よりの空気流路を流体源よりの流路内に同軸状に形成することで、流体源よりの流体が温水である場合に加圧空気を温めることになるので、噴射するミストの温度が低下するのを防止できて、より効果的に洗浄物の洗浄を良好に行うことができる。
【００１４】
さらに、加圧空気減よりの空気に対して流体減よりの水流を、空気流の流出方向に沿って斜め方向から流入することで、加圧空気の流れに吸い込まれるようにして流体の加圧空気内に吸引され、従って、空気と流体との混合が良好となってミストの作成が良好になって洗浄効率を上げることができる等の効果を有するものである。
【発明を実施するための最良の形態】
【００１５】
本発明は、加圧空気と流体との混合によって生成するミスト流を２つ生成し、１つのミスト流に対して他のミスト流によって飛散してミスト流の全体が拡散しないようにした。
【実施例１】
【００１６】
以下、本発明に係るシャワーヘッドの第１の実施例を図１〜図３と共に説明する。
図において、１は樹脂等で構成した基材にして、一面から突出部１１が形成されると共に該突出部１１と連通して流路１２が形成され、かつ、該流路１２に対して水や湯の流体が流れる流体流路１３が直交状態で形成されている。また、流路１２の前記突出部１１とは反対側には一端がコンプレッサーに接続されたパイプ（図示せず）の他端に接続されたエアーパイプ接続具１４が、また、前記流体流路１３には一端が水道栓や給湯器に接続されたパイプ（図示せず）の他端に接続された流体パイプ接続具１５がそれぞれ接続されている。従って、流路１２には加圧空気と流体とが混合された加圧流体が流れている。なお、流路１２の下端の小口径となっている。
【００１７】
さらに、前記した突出部１１の先端に近い部分には流路１２と連通する複数の吐出孔１１ａが形成されると共に先端にも吐出孔１１ｃが形成され、また、該吐出孔１１ａより下方の外周には外周ネジ１１ｂが形成されている。１６は後述するヘッド２とネジ止めして一体化するためのネジ挿通孔にして、前記流体流路１３と交差しない個所（実施例では４か所）に貫通して形成されている。
【００１８】
２はカップ状のヘッドにして、前記基材１と同様な材料で形成されており、前記基材１の突出部１１が挿通れさる中心孔２１と、基材１を前記ネジ３によって固定した状態において水密状態を維持するための０リング２２が収納されるリング状の溝２３と、前記ネジ３がネジ止めされるネジ孔２４と、後述するキャップ５の上端がネジ止めされる外周ネジ２５とが形成されている。なお、開口部には後述する第１散水板４との水密状態を維持するための密閉リング２６が接着等の手段によって取付けられている。
【００１９】
４は樹脂によって形成された第１散水板にして、切頭円錐部４１と、該切頭円錐部４１の外周縁から水平方向に延びる水平部４２となっている第１散水板にして、該水平部４２の外周の大きさは前記ヘッド２の開口部分より僅かに大きな外径となっている。そして、前記切頭円錐部４１における底部４３には流路１２の軸線方向に向かって開口された吐出孔４３ａが形成され、また、切頭円錐部４１には前記吐出孔４３ａと交差する方向に向かって開口された吐出孔４１ａが二重のリング状に形成されている。さらに、水平部４２には前記吐出孔４３ａと同じ方向に向かって開口された吐出孔４２ａが形成されている。
【００２０】
５は前記ヘッド２の円筒部より若干大きな内径に形成された円筒状のキャップにして、前記ヘッド２に形成された外周ネジ２５と螺合する内周ネジ５１が一端の内周面に形成され、また、他端に近い内周面には第１散水板４の水平部４２と当接する段部５２が形成されている。
【００２１】
６は前記第１散水板４と同様な材料で形成された第２散水板にして、全体が切頭円錐状に形成され、底部６１には前記基材１における突出部１１の先端に形成されている外周ネジ１１ｂに螺合される内周ネジ６１ａが形成され、また、切頭円錐部６２には連通孔６２ａがリング状に形成されている。そして、切頭円錐部６２は前記した第１散水板４における切頭円錐部４１と同じ形状に形成されており、かつ、外周縁には鍔部６２ｂが形成され、この鍔部６２ｂが第１散水板４の水平部４２の裏面側と接触しる形状となっている。
【００２２】
次に、前記した各部材の組立方法について説明するに、基材１に対して水密状態でヘッド２をネジ３によって一体化する。次いで、第２散水板６の底部６１に形成された内周ネジ６１ａを利用して基材１の突出部１１の外周ネジ１１ｂにねじ込み固定する。これにより、第２散水板６はヘッド４内において固定される。
【００２３】
さらに、第１散水板４の水平部４２の裏面側をヘッド４の開口部における密閉リング２６上に載置した状態においてキャップ５を被せて内周ネジ５１を外周ネジ２５に螺合して回転することで第１散水板４をヘッド２の開口部に固定する。この状態において、第２散水板６の鍔部６２ｂが第１散水板４の水平部４２の裏面に当接するので、第１散水板４における切頭円錐部４１の裏面と、第２散水板６の切頭円錐部６２の表面との間に隙間ｇができ、また、第１、第２散水板４，６の裏面側とヘッド２の内面との間に貯留空間Ｇが形成される。
【００２４】
次に、前記した如く組立たシャワーヘッドに加圧空気と水や湯の流体を供給した場合の流れについて説明する。
流路１２に供給される流体は加圧空気によって加圧流体となって突出部１１の先端に形成された吐出孔１１ｃから吐出して第１散水板４の吐出孔４３ａからと、該第１散水板４と第２散水板６との間に形成された隙間ｇを介して吐出孔４１ａの両方からミスト流となって外部に吐出される。この時、吐出孔４３ａからのミスト流は流路１２の軸線方向に吐出され、吐出孔４１ａからのミストは吐出孔４３ａからのミストと交差する方向に吐出される。なお、吐出孔４１ａ，４３ａから吐出されるミスト流を第１のミストという。
【００２５】
また、前記突出部１１に形成された吐出孔１１ａからもミスト状となって貯留空間Ｇに排出され、さらに、前記第１散水板４の吐出孔４１ａ，４３ａの孔径を流路１２から供給される水量の全てが排出できないような径とすることで、前記隙間ｇに滞留する水量はは第２散水板６の連通孔６２ａを介して貯留空間Ｇ内に流れ込み、この貯留空間Ｇ内の圧力が高くなると第１散水板４の水平部４２に形成されている吐出孔４２ａより第２のミスト流となって吐出される。
【００２６】
ここで、吐出孔４２ａから吐出される第２のミスト流は、吐出孔４２ａの開口向きからして流路１２の軸線方向に吐出されるので、前記第１のミスト流は第２のミスト流によって拡散が阻止され、全体のミスト流として円筒状のミスト流となり、従って、被洗浄物に対して狭い面積に対して大量のミストが当たることとなり洗浄面をより効果的に洗浄することが可能となる。
【実施例２】
【００２７】
前記した第１の実施例は、加圧空気が供給される流路１２に対して流体が供給される流体流路１３が直交方向に交差しているために流体供給源より供給される流体の圧力が低いと流体の供給量が減少するという問題がある。また、流体を給湯器から供給するお湯とした場合に、加圧空気は室内温度であるので加圧空気の温度が低く、また、ミストを形成するための気化熱とによって吐出されるミストの温度が低くなってしまうといった問題があった。
【００２８】
そこで、図４、図５に示す第２の実施例にあっては、流体供給量の減少と、ミスト温度の低下を防止せんとするものである。以下、この実施例について説明するが、前記した実施例と同一符号は同一部材を示し説明は省略する。
【００２９】
この実施例にあっては、流体パイプ内に加圧空気パイプを挿入した二重パイプを使用すると共に、該二重パイプよりの流体と加圧空気をヘッド１に供給するためのパイプ接続体７をヘッド１にネジ止め固定する。このパイプ接続体７には加圧空気をヘッド１の流路１２に供給するための空気孔７１と、流体を流路１２に供給するための流体孔７２が空気孔７１の外周にリング状に形成されている。
【００３０】
このような構造とすることで、流水パイプ内に温水を供給するとエアーパイプが加温され、エアーパイプ内を流れる加圧空気も温められるので、流体と空気とが混合された時に、第１の実施例のように流水が空気によって冷却されるのを防止できる。従って、第１散水板４から吐出されるミスト流の温度は、第１の実施例のミスト流よりも高温となる。
【００３１】
また、この実施例にあっては、ヘッド１内の流体流路１３を、一端が前記流体孔７２と接続され、他端が流路１２に対して空気の流れる方向に沿って斜めに接続される構造とした。このような構造とすることで、流路１２内を流れる加圧空気に流体が引かれるようになるので、前記した第１の実施例と比較して流体の流れる量は多くなって、より洗浄効果の向上を図ることができる。
【００３２】
なお、図５はミストが吐出される側から見た正面図であるが、第１の実施例と比較して第１散水板４における切頭円錐部４１に形成した吐出孔４１ａの数が多くなっている。これは、第２の実施例の方が流路１２内に流れ込む流体の量が多いことから、多数の吐出孔４１ａを設けても貯留空間Ｇにも貯留される流体量が多くなり、これにより、ミスト流の飛散を防止するための平行部４２の吐出孔４２ａよりのミスト流も得ることが可能である。
【図面の簡単な説明】
【００３３】
【図１】本発明のシャワーヘッドに係る第１の実施例を示す断面図である。
【図２】同上の分解断面図である。
【図３】ミストが吐出される側から見た正面図である。
【図４】第２の実施例を示す断面図である。
【図５】ミストが吐出される側から見た正面図である。
【符号の説明】
【００３４】
１          基材
１１        突出部
１１ａ      吐出孔
１１ｃ      吐出孔
１２        流路
２          ヘッド
４          第１散水板
４１        切頭円錐部
４１ａ      吐出孔
４２        水平部
４２ａ      吐出孔
４３        底部
４３ａ      吐出孔
５          キャップ
６          第２散水板
６１        底部
６２        切頭円錐部
６２ａ      連通孔
【図１】
2007326082.tif 000003
【図２】
2007326082.tif 000004
【図３】
2007326082.tif 000005
【図４】
2007326082.tif 000006
【図５】
2007326082.tif 000007